(57)【要約】【課題】各作業員の作業により生じた付加価値を、各作業員に認識させ得るように管理するシステムを提供する。【解決手段】本発明の付加価値管理システムは、第１うり処理ユニット１１１が、第ｎ端末ｘｎとの通信により、ｎ次有体物の提供元であるｎ次作業員を識別するためのｎ次識別子と、ｎ次作業員によって第ｎ端末ｘｎの「うり一覧表」に掲載されたｎ次有体物の内容、数量、ｎ−１次単価にｎ次付加価値を加えたｎ次有体物のｎ次単価、及びｎ次有体物の提供先であるｎ＋１次作業員を識別するためのｎ＋１次識別子とを認識する。また、第１かい処理ユニット１１２が、第１うり処理ユニット１１１により認識されたｎ＋１次識別子により識別されるｎ＋１次作業員の第ｎ＋１端末ｘｎ＋１との通信により、第１うり処理ユニット１１１により認識されたｎ次識別子、ｎ次有体物の内容、数量及びｎ次単価を、第ｎ＋１端末ｘｎ＋１の「かい一覧表」に掲載させる。【選択図】  図１
2006012068.tif 000002
【特許請求の範囲】
【請求項１】
複数の端末との通信を利用して、製品の生産過程に含まれる複数の作業によって生じる付加価値が管理するシステムであって、
ｎ次作業（ｎ＝１，２，・・）を担当するｎ次作業員によるうり一覧表への情報掲載と、うり一覧表及びかい一覧表の掲載情報の閲覧とが可能な第ｎ端末との通信により、ｎ次有体物の提供元であるｎ次作業員を識別するためのｎ次識別子と、ｎ次作業員によって第ｎ端末のうり一覧表に掲載されたｎ次有体物の内容、数量、ｎ−１次単価にｎ次付加価値を加えたｎ次有体物のｎ次単価、及びｎ次有体物の提供先であるｎ＋１次作業員を識別するためのｎ＋１次識別子とを認識する第１うり処理手段と、
第１うり処理手段により認識されたｎ＋１次識別子により識別されるｎ＋１次作業員の第ｎ＋１端末との通信により、第１うり処理手段により認識されたｎ次識別子、ｎ次有体物の内容、数量及びｎ次単価を、第ｎ＋１端末のかい一覧表に掲載させる第１かい処理手段とを備えていることを特徴とする付加価値管理システム。
【請求項２】
第ｎ＋１端末との通信により、ｎ＋１作業員により第ｎ＋１端末のかい一覧表に掲載されたｎ次有体物のかい承認及び非承認の別を認識する第１かい承認処理手段と、
第ｎ端末との通信により、ｎ＋１次作業員によるｎ次有体物のかい承認及び非承認の別を第ｎ端末のうり一覧表に掲載させる第１うり承認処理手段とを供えていることを特徴とする請求項１記載の付加価値管理システム。
【請求項３】
第ｎ端末との通信により、ｎ次作業とは異なる無体物の提供元であるｎ次作業員を識別するためのｎ次識別子と、ｎ次作業員によってうり第ｎ端末の一覧表に掲載された無体物の内容、数量、単価、及び無体物の提供先であるｍ次作業員（ｍ＝１，２，・・）のｍ次識別子とを認識する第２うり処理手段と、
第２うり処理手段により認識されたｍ次識別子により識別されるｍ次作業員の第ｍ端末との通信により、第２うり処理手段により認識されたｎ次識別子、無体物の内容、数量及び単価を第ｍ端末のかい一覧表に掲載させる第２かい処理手段とを備えていることを特徴とする請求項１又は２記載の付加価値管理システム。
【請求項４】
第ｍ端末との通信により、ｍ次作業員により第ｍ端末のかい一覧表に掲載された無体物のかい承認及び非承認の別を認識する第２かい承認処理手段と、
第ｎ端末との通信により、ｍ次作業員による無体物のかい承認及び非承認の別を第ｎ端末のうり一覧表に掲載させる第２うり承認処理手段とを備えていることを特徴とする請求項３記載の付加価値管理システム。
【請求項５】
第ｎ＋１端末との通信により、ｎ次有体物に含まれる不良品を発見したｎ＋１次作業員を識別するためのｎ＋１次識別子と、ｎ＋１次作業員によって第ｎ＋１端末のうり一覧表に掲載された不良品の内容、数量、ｎ＋１次単価、及び不良品の返却先であるｎ次作業員を識別するためのｎ次識別子とを認識する第３うり処理手段と、
第３うり処理手段により認識されたｎ次識別子により識別されるｎ次作業員の第ｎ端末との通信により、第３うり処理手段により認識されたｎ＋１次識別子、不良品の内容、数量及びｎ＋１次単価を第ｎ端末のかい一覧表に掲載させる第３かい処理手段とを備えていることを特徴とする請求項１、２、３又は４記載の付加価値管理システム。
【発明の詳細な説明】
【技術分野】
【０００１】
本発明は、複数の端末との通信を利用して、複数の作業を含む製品生産によって生じる付加価値を管理するシステムに関する。
【背景技術】
【０００２】
生産業者が他の業者から製品生産を受注した場合、加工作業や有体物の検査作業等、複数の作業員による複数の作業を経て当該受注製品が製造される。生産業者が製品１個あたり販売単価Ａで生産を受注した場合、製品１個あたりの材料費や生産設備の稼動費等の経費Ｂを販売単価Ａから差し引いたもの（＝Ａ−Ｂ）が生産業者の利益となる。当該利益Ａ−Ｂは付加価値であり、製品生産のための複数の作業をそれぞれ担当する作業員の努力の結晶であり、各作業員によって材料等に付加価値が積み重ねられた結果であるといえる。
【０００３】
なお、従来、加工費用や組立費用等の付加価値が考慮された上で、業者が相互に事務コストを削減できるように外注加工業務や組み立て業務を管理するための手法が提案されている。
【特許文献１】特開２００３−２８１４１１７号公報
【発明の開示】
【発明が解決しようとする課題】
【０００４】
しかし、通常は、複数の作業員のうち誰がどの程度の付加価値をもたらしたのか、すなわち、利益に対してどの程度寄与したかが不明瞭である。このため、難易度の高い煩雑な作業を担当した作業員は、高い付加価値を製品にもたらしているにもかかわらず、その報酬（給料）が当該付加価値の高さに応じたものではないといった状況が生じ得る。これでは作業員のやる気を削ぐことにもなり、生産性の向上の観点から好ましくない。
【０００５】
そこで、経営側の経験や知識に基づき、難易度の高い作業を担当している作業員には比較的高い報酬が与えられるようにさじ加減をする場合がある。しかし、作業員としては、報酬がどのような基準から決定されているのかが不明瞭である限り、その報酬が不当に低いのではないかと疑う傾向がある。これでは、やはり作業員のやる気をそぎ、生産性の向上が妨げられてしまう。
【０００６】
そこで、本発明は、各作業員の作業により生じた付加価値を、各作業員に認識させ得るように管理するシステムを提供することを解決課題とする。
【課題を解決するための手段】
【０００７】
前記課題を解決するための本発明の付加価値管理システムは、ｎ次作業（ｎ＝１，２，・・）を担当するｎ次作業員によるうり一覧表への情報掲載と、うり一覧表及びかい一覧表の掲載情報の閲覧とが可能な第ｎ端末との通信により、ｎ次有体物の提供元であるｎ次作業員を識別するためのｎ次識別子と、ｎ次作業員によって第ｎ端末のうり一覧表に掲載されたｎ次有体物の内容、数量、ｎ−１次単価にｎ次付加価値を加えたｎ次有体物のｎ次単価、及びｎ次有体物の提供先であるｎ＋１次作業員を識別するためのｎ＋１次識別子とを認識する第１うり処理手段と、第１うり処理手段により認識されたｎ＋１次識別子により識別されるｎ＋１次作業員の第ｎ＋１端末との通信により、第１うり処理手段により認識されたｎ次識別子、ｎ次有体物の内容、数量及びｎ次単価を、第ｎ＋１端末のかい一覧表に掲載させる第１かい処理手段とを備えていることを特徴とする。
【０００８】
本発明の付加価値管理システムによれば、図４に示されているように作業が逐次行われることで、初期有体物（０次有体物）の初期単価（０次単価）に累積される付加価値が管理される。
【０００９】
すなわちまず、１次作業員（ｎ＝１）によって初期有体物に１次作業が施されて１次有体物とされることで、当該未有体物の初期単価に１次付加価値が加えられる。初期有体物は、典型的には製品の材料である。初期単価には、材料費、設備稼働費等、製品の生産に必要な費用が含まれる。１次有体物の単価は初期単価及び１次付加価値の和である１次単価となる。１次有体物は１次作業員から２次作業員に対して渡されるが、これは、１次作業員が２次作業員に対して、未有体物に１次付加価値を加えた１次単価で１次有体物を「うる」ことと、同時に２次作業員が１次作業員から１次有体物を１次単価で「かう」こととに相当する。
【００１０】
以下、同様にｎ次有体物にｎ＋１次作業が施されてｎ＋１次有体物とされることにより、当該ｎ次有体物のｎ次単価にｎ＋１次付加価値が加えられる。ｎ次有体物はｎ次作業員からｎ＋１次作業員に対して渡されるが、これは、ｎ次作業員がｎ＋１次作業員に対して、ｎ−１次有体物にｎ次付加価値を加えたｎ次単価でｎ次有体物を「うる」ことと、同時にｎ＋１次作業員がｎ次作業員からｎ次有体物をｎ次単価で「かう」こととに相当する。そして、最終作業員による最終作業（Ｎ次作業）によって完成した製品の単価は初期有体物の初期単価に、１次付加価値からＮ次付加価値までの総和が加えられたもの（Ｎ次単価）となる。
【００１１】
なお、ｎ次作業には、加工作業、品質検査作業等のさまざまな種類の作業が含まれる。また、同じｎ次作業員であっても、人が相違すればｎ次付加価値は相違し得る。さらに、ｎ＋１次有体物には、ｎ次有体物に加工が施されたもののほか、品質検査等、加工とは異なる種類のｎ＋１次作業を経ただけでｎ次有体物と実質的に同一のものも含まれる。
【００１２】
本発明の付加価値管理システムによれば、第１うり処理手段が第ｎ端末（ｎ＝１，２，・・）との通信により、「ｎ次有体物の提供元であるｎ次作業員を識別するためのｎ次識別子」と、ｎ次作業員によって第ｎ端末の「うり一覧表」に掲載された「ｎ次有体物の内容」「数量」「ｎ次単価」及び「ｎ次有体物の提供先であるｎ＋１次識別子」とを認識する。また、第１かい処理手段が、第１うり処理手段により認識されたｎ＋１次識別子により識別されるｎ＋１次作業員の第ｎ＋１端末との通信により、第１うり処理手段により認識された「ｎ次識別子」「ｎ次有体物の内容」「数量」及び「ｎ次単価」を第ｎ＋１端末の「かい一覧表」に掲載させる。
【００１３】
また、ｎ＋１次作業員はｎ次作業員から提供されたｎ次有体物にｎ＋１次作業を施してｎ＋１次有体物とした上で、ｎ＋１次有体物の内容、数量、ｎ＋１次付加価値を含むｎ＋１次単価、及びｎ＋１次有体物の提供先であるｎ＋２次作業員を識別するためのｎ＋２次識別子を第ｎ＋１端末の「うり一覧表」に掲載する。
【００１４】
従って、本発明の付加価値管理システムによれば、第ｎ端末の「うり一覧表」を通じてｎ次有体物の内容、数量及びｎ次単価をｎ次作業員に認識させうる。また、第ｎ端末の「かい一覧表」を通じてｎ−１次有体物の内容、数量及びｎ−１次単価をｎ次作業員に認識させうる。すなわち、「かい一覧表」を通じてｎ−１次作業員（ｎ＝１の場合は外部の材料販売業者等）からｎ−１次有体物をいくらで「かい」、「うり一覧表」を通じてｎ＋１次作業員に対してｎ次有体物（ｎ＝Ｎの場合は当該製品の発注業者等）をいくらで「うった」かを、ｎ次作業員に明確に認識させることができる。これにより、各作業員に対してその作業によって生み出された付加価値がどれほどであるかを明確に認識することができる。また、作業員が自ら生み出した付加価値の高低に応じた報酬を得られるようにすることで、各作業員に高い付加価値を生み出す意欲を引き出し、付加価値の高い製品の生産性向上を図ることができる。
【００１５】
また、本発明の付加価値管理システムは、第ｎ＋１端末との通信により、ｎ＋１作業員により第ｎ＋１端末のかい一覧表に掲載されたｎ次有体物のかい承認及び非承認の別を認識する第１かい承認処理手段と、第ｎ端末との通信により、ｎ＋１次作業員によるｎ次有体物のかい承認及び非承認の別を第ｎ端末のうり一覧表に掲載させる第１うり承認処理手段とを供えていることを特徴とする。
【００１６】
本発明の付加価値管理システムによれば、第１かい承認処理手段が第ｎ＋１端末との通信により、第ｎ＋１端末の「かい一覧表」の掲載情報を通じて、ｎ＋１次作業員によるｎ次有体物の「かい」承認及び非承認の別を認識する。また、第１うり承認処理手段が第ｎ端末との通信により、当該承認及び非承認の別を第ｎ端末の「うり一覧表」に掲載させる。
【００１７】
ｎ＋１次作業員は、ｎ次有体物の内容、数量やｎ次単価が不適当である等の事由に応じて、第ｎ＋１端末を通じてｎ次有体物の「かい」を承認するか否かの意思表示が可能である。これにより、ｎ＋１次作業員がｎ次作業員から不当なｎ次単価のｎ次有体物をかわざるを得ないような事態が回避される。また、ｎ＋１次作業員へのｎ次有体物の「うり」がｎ＋１次作業員により承認されたことをｎ次作業員に認識させることで、ｎ次有体物の搬出等、必要な処置を促すことができる。一方、ｎ＋１次作業員へのｎ次有体物の「うり」がｎ＋１次作業員により承認されていないことをｎ次作業員に認識させることで、ｎ次単価等の再検討を促すことができる。これにより、ｎ次作業員により第ｎ端末に任意に入力されるｎ次単価等が不当なものとなる事態が抑制され、もって一連の作業の円滑化、ひいては生産効率の向上を図ることができる。
【００１８】
さらに本発明の付加価値管理システムは、第ｎ端末との通信により、ｎ次作業とは異なる無体物の提供元であるｎ次作業員を識別するためのｎ次識別子と、ｎ次作業員によって第ｎ端末のうり一覧表に掲載された無体物の内容、数量、単価、及び無体物の提供先であるｍ次作業員（ｍ＝１，２，・・）のｍ次識別子とを認識する第２うり処理手段と、第２うり処理手段により認識されたｍ次識別子により識別されるｍ次作業員の第ｍ端末との通信により、第２うり処理手段により認識されたｎ次識別子、無体物の内容、数量及び単価を第ｍ端末のかい一覧表に掲載させる第２かい処理手段とを備えていることを特徴とする。
【００１９】
本発明の付加価値管理システムによれば、ｎ次作業員によってｎ次作業とは異なる「無体物」がｍ次作業員に対して提供される場合、第２うり処理手段及び第２かい処理手段が、前記第１うり処理手段及び第１かい処理手段と同様の処理を実行する。
【００２０】
従って、ｍ次作業員への無体物の提供によって生み出される付加価値を、第ｎ端末の「うり一覧表」を通じてそのｎ次作業員に把握させる一方、第ｍ端末の「かい一覧表」を通じて無体物の付加価値をｍ次作業員に把握させることができる。すなわち、第ｎ端末の「うり一覧表」を通じて、ｍ次作業員に無体物をいくらで「うった」かをｎ次作業員に明確に認識させることができる。また、第ｍ端末の「かい一覧表」を通じて、ｎ次作業員から無体物をいくらで「かった」かをｍ次作業員に明確に認識させることができる。
【００２１】
これにより、ｎ次作業のほかに付加価値を生み出すような無体物（アイデア等）の創出をｎ次作業員に促し、製品の生産性の向上を図ることができる。また、無体物のおかげでｍ次作業の効率が向上し、ｍ次有体物の数量が増大したような場合、前述のように第ｍ端末の「うり一覧表」を通じてｍ次作業員に当該上昇したｍ次単価を認識させ、そのやる気を奮い立たせ、製品の生産性の向上を図ることができる。
【００２２】
また、本発明の付加価値管理システムは、第ｍ端末との通信により、ｍ次作業員により第ｍ端末のかい一覧表に掲載された無体物のかい承認及び非承認の別を認識する第２かい承認処理手段と、第ｎ端末との通信により、ｍ次作業員による無体物のかい承認及び非承認の別を第ｎ端末のうり一覧表に掲載させる第２うり承認処理手段とを備えていることを特徴とする。
【００２３】
本発明の付加価値管理システムによれば、第２かい承認処理手段及び第２うり承認処理手段が第ｍ端末及び第ｎ端末との通信により、前記第１かい承認処理手段及び第１うり承認処理手段と同様の処理を実行する。従って、ｍ次作業員に不当な単価の無体物が提供される事態が回避される。また、無体物の「うり」がｍ次作業員によって承認されたか否かをｎ次作業員に認識させ、「うり」非承認を認識させた場合には、無体物の単価（付加価値）等の見直しをｎ次作業員に促すことができる。
【００２４】
さらに、本発明の付加価値管理システムは、第ｎ＋１端末との通信により、ｎ次有体物に含まれる不良品を発見したｎ＋１次作業員を識別するためのｎ＋１次識別子と、ｎ＋１次作業員によって第ｎ＋１端末のうり一覧表に掲載された不良品の内容、数量、ｎ＋１次単価、及び不良品の返却先であるｎ次作業員を識別するためのｎ次識別子とを認識する第３うり処理手段と、第３うり処理手段により認識されたｎ次識別子により識別されるｎ次作業員の第ｎ端末との通信により、第３うり処理手段により認識されたｎ＋１次識別子、不良品の内容、数量及びｎ＋１次単価を第ｎ端末のかい一覧表に掲載させる第３かい処理手段とを備えていることを特徴とする。
【００２５】
本発明の付加価値管理システムによれば、ｎ＋１次作業員がｎ次有体物に含まれている不良品をｎ次作業員に返却する場合、第３うり処理手段及び第３かい処理手段が、前記第１うり処理手段及び第１かい処理手段と同様の処理を実行する。この不良品の返却は、ｎ＋１次作業員がｎ次有体物をｎ次単価でｎ次作業員から「かい」、不良品をｎ＋１次単価でｎ次作業員に「うる」ことに相当する。換言すると、この不良品の返却は、ｎ次作業員がｎ次有体物をｎ次単価でｎ＋１次作業員に「うり」、不良品をｎ＋１次単価でｎ＋１次作業員から「かう」ことに相当する。
【００２６】
ｎ＋１次作業員がｎ次有体物に含まれる不良品をｎ次作業員に「うる」場合、当該不良品の数量とともにｎ＋１次単価を第ｎ＋１端末の「うり一覧表」に掲載することができる。従って、ｎ次有体物に不良品があったにもかかわらず、第ｎ＋１端末の「うり一覧表」に掲載されているｎ＋１次単価及び数量の積が実質的に目減りしていないことをｎ＋１次作業員に認識させうる。これにより、不良品発生の責任所在を明確にし、各作業員のやる気を向上させうる。
【００２７】
また、ｎ次作業員が不良品をｎ＋１次作業員から「かう」場合、第ｎ端末の「うり一覧表」及び「かい一覧表」を通じて、ｎ次有体物の「うり」がｎ次単価であったにもかかわらず、不良品の「かい」がｎ＋１次単価であった分、その収支がマイナスになってしまうことをｎ次作業員に認識させうる。これにより、不良品発生の責任の重みを各作業員に認識させ、不良品の数量低減のための努力を促す等、生産性の向上が図られうる。
【発明を実施するための最良の形態】
【００２８】
本発明の付加価値管理システムの実施形態について図面を用いて説明する。
【００２９】
図１は本発明の一実施形態における付加価値管理システムの構成説明図であり、図２は本発明の一実施形態における付加価値管理システムの機能説明図であり、図３はうり一覧表及びかい一覧表の説明図であり、図４は逐次作業に伴って付加価値が累積されていく様子の説明図である。
【００３０】
まず、付加価値管理システムの構成について図１を用いて説明する。
【００３１】
図１に示す付加価値管理システムは、第１端末ｘ１、第２端末ｘ２、・・及び第Ｎ端末ｘＮを含む複数の端末とネットワーク通信可能なサーバ１００により構成されている。付加価値管理システムは、初期有体物（材料）を、第１、第２、・・及び第Ｎ作業を経て製品が生産される場合に、各作業員によって生み出される付加価値を管理するものである。また、付加価値システムは、各作業員の付加価値の「うり」及び「かい」が管理される「うりかいシステム」であるといえる。
【００３２】
第ｎ端末（ｎ＝１，２，・・，Ｎ）ｘｎは、ｎ次作業を担当するｎ次作業員による「うり一覧表」への情報掲載と、「うり一覧表」及び「かい一覧表」の掲載情報の閲覧とが可能とされている。具体的には、第１端末２０１、第２端末２０２及び第３端末２０３には、それぞれ図３に示されているような「うり一覧表」及び「かい一覧表」が表示され、キーボードやマウス（図示略）を通じた「うり一覧表」への情報掲載（入力）等が可能とされている。第ｎ端末ｘｎはそれぞれ１つでも複数でもよく、ｎ次作業を担当するｎ次作業員の作業場に設置されていてもよく、個々のｎ次作業員によって携帯されていてもよい。
【００３３】
図３に示されている「うり一覧表」には、日付欄、位置の作業員が他の作業員に対して「うる（正確には「うるつもりがある」）」有体物又は無体物の内容欄、数量欄、単価欄、価格欄、うり先欄（識別子が記載される。）及び承認チェック欄が含まれている。また、「かい一覧表」には、日付欄、位置の作業員が他の作業員から「かう（正確には「かう可能性がある」）」有体物又は無体物の内容欄、数量欄、単価欄、価格欄、かい元欄（識別子が記載される。）及び承認チェック欄が含まれている。うり一覧表及びかい一覧表は、各作業員の付加価値の「うり」及び「かい」が計算され、明確に算出される、個人の損益計算書であるといえる。
【００３４】
付加価値管理システムは、第１うり処理ユニット１１１、第１かい処理ユニット１１２、第１かい承認処理ユニット１１３、第１うり承認処理ユニット１１４、第２うり処理ユニット１２１、第２かい処理ユニット１２２、第２かい承認処理ユニット１２３、第２うり承認処理ユニット１２４、第３うり処理ユニット１３１及び第３かい処理ユニット１３２を備えている。各ユニットは、ＣＰＵ、ＲＯＭ、ＲＡＭ等により構成されるマイクロコンピュータ等のハードウェアと、マイクロコンピュータに一定の情報処理機能を付与するソフトウェアとにより構成されている。
【００３５】
第１うり処理ユニット１１１は、第ｎ端末との通信により、ｎ次有体物の提供元であるｎ次作業員を識別するためのｎ次識別子と、ｎ次作業員によって第ｎ端末の「うり一覧表」に掲載されたｎ次有体物の内容、数量、ｎ−１次単価にｎ次付加価値を加えたｎ次有体物のｎ次単価、及びｎ次有体物の提供先であるｎ＋１次作業員を識別するためのｎ＋１次識別子とを認識する。
【００３６】
第１かい処理ユニット１１２は、第１うり処理ユニット１１１により認識されたｎ＋１次識別子により識別されるｎ＋１次作業員の第ｎ＋１端末ｘｎ＋１との通信により、第１うり処理ユニット１１１により認識されたｎ次識別子、ｎ次有体物の内容、数量及びｎ次単価を、第ｎ＋１端末ｘｎ＋１の「かい一覧表」に掲載させる。
【００３７】
第１かい承認処理ユニット１１３は第ｎ＋１端末ｘｎ＋１との通信により、ｎ＋１次作業員により第ｎ＋１端末ｘｎ＋１の「かい一覧表」に掲載されたｎ次有体物の「かい」承認及び非承認の別を認識する。
【００３８】
第１うり承認処理ユニット１１４は第ｎ端末ｘｎとの通信により、ｎ＋１次作業員へのｎ次有体物の「うり」承認及び非承認の別を第ｎ端末ｘｎの「うり一覧表」に掲載させる。
【００３９】
第２うり処理ユニット１２１は、第ｎ端末ｘｎとの通信により、ｎ次作業とは異なる無体物の提供元であるｎ次作業員を識別するためのｎ次識別子と、ｎ次作業員によって第ｎ端末ｘｎのうり一覧表に掲載された無体物の内容、数量、単価、及び無体物の提供先であるｍ次作業員（ｍ＝１，２，・・）のｍ次識別子とを認識する。
【００４０】
第２かい処理ユニット１２２は、第２うり処理ユニット１２１により認識されたｍ次識別子により識別されるｍ次作業員の第ｍ端末ｘｍとの通信により、第２うり処理ユニット１２１により認識されたｎ次識別子、無体物の内容、数量及び単価を第ｍ端末ｘｍのかい一覧表に掲載させる。
【００４１】
第２かい承認処理ユニット１２３は第ｍ端末ｘｍとの通信により、ｍ次作業員により第ｍ端末ｘｍの「かい一覧表」に掲載された無体物の「かい」承認及び非承認の別を認識する。
【００４２】
第２うり承認処理ユニット１２４は第ｎ端末ｘｎとの通信により、ｍ次作業員への無体物の「うり」承認及び非承認の別を第ｎ端末ｘｎの「うり一覧表」に掲載させる。
【００４３】
第３うり処理ユニット１３１は、第ｎ＋１端末ｘｎ＋１との通信により、ｎ次有体物に含まれる不良品を発見したｎ＋１次作業員を識別するためのｎ＋１次識別子と、ｎ＋１次作業員によって第ｎ＋１端末のうり一覧表に掲載された不良品の内容、数量、ｎ＋１次単価、及び不良品の返却先であるｎ次作業員を識別するためのｎ次識別子とを認識する。
【００４４】
第３かい処理ユニット１３２は、第３うり処理ユニット１３１により認識されたｎ次識別子により識別されるｎ次作業員の第ｎ端末ｘｎとの通信により、第３うり処理ユニット１３１により認識されたｎ＋１次識別子、不良品の内容、数量及びｎ＋１次単価を第ｎ端末のかい一覧表に掲載させる。
【００４５】
前記構成の付加価値管理システムの機能について図２〜図４を用いて説明する。
【００４６】
第１うり処理ユニット１１１が「第１うり処理」を実行する（図２／Ｓ１）。具体的には、ｎ次作業員からｎ＋１次作業員に対してｎ次有体物が渡される場合、ｎ次作業員によって、第ｎ端末ｘｎの「うり一覧表」に「ｎ次有体物の内容」「数量」「ｎ次単価」及びｎ次有体物の提供先であるｎ＋１次作業員を識別するための「ｎ＋１次識別子」が入力される（図２／Ｓ１１）。識別子としては、作業員の氏名、ＩＤナンバー等が採用される。これに応じてｎ次有体物の提供元であるｎ次作業員を識別するための「ｎ次識別子」と、ｎ次作業員によって第ｎ端末ｘｎの「うり一覧表」に掲載された「ｎ次有体物の内容」「数量」「ｎ次単価」及び「ｎ＋１次識別子」とが第ｎ端末ｘｎからサーバ１００に送信され（図２／矢印Ａ１）、第１うり処理ユニット１１１がこれら情報を認識する。
【００４７】
また、第１かい処理ユニット１１２が「第１かい処理」を実行する（図２／Ｓ２）。具体的には、第１かい処理ユニット１１２が、第１うり処理ユニット１１１により認識されたｎ＋１次識別子により識別されるｎ＋１次作業員の第ｎ＋１端末ｘｎ＋１との通信により（図２／矢印Ａ２）、第１うり処理ユニット１１１により認識された「ｎ次識別子」「ｎ次有体物の内容」「数量」及び「ｎ次単価」を第ｎ＋１端末ｘｎ＋１の「かい一覧表」に掲載させる（図２／Ｓ２１）。
【００４８】
さらに第１かい承認処理ユニット１１３が「第１かい承認処理」を実行する（図２／Ｓ３）。具体的には、ｎ＋１次作業員が、第ｎ＋１端末ｘｎ＋１の「かい一覧表」の承認チェック欄（図３参照）にチェックを掲載又は非掲載する（図２／Ｓ２２）。また、第１かい承認処理ユニット１１３が第ｎ＋１端末ｘｎ＋１との通信により（図２／矢印Ａ３）、当該チェックの有無に応じてｎ次有体物の「かい」がｎ＋１次作業員に承認されたか否かを認識する。
【００４９】
また、第１うり承認処理ユニット１１４が「第１うり承認処理」を実行する（図２／Ｓ４）。具体的には、第１うり承認処理ユニット１１４が、第１かい承認処理ユニット１１３により認識された「かい」の承認及び非承認の別に応じて、第ｎ端末ｘｎとの通信により（図２／矢印Ａ４）、第ｎ端末ｘｎの「うり一覧表」の承認チェック欄（図３参照）にチェックを掲載又は非掲載させる（図２／Ｓ１２）。
【００５０】
続いて、ｎ＋１次作業員がｎ次有体物にｎ＋１次作業を施してｎ＋１次有体物とし、これをｎ＋２次作業員に渡す場合、第１うり処理ユニット１１１、第１かい処理ユニット１１２、第１かい承認処理ユニット１１３及び第１うり承認処理ユニット１１４は、第ｎ＋１端末ｘｎ＋１及び第ｎ＋２端末ｘｎ＋２との通信により、第１うり処理（図２／Ｓ１）、第１かい処理（図２／Ｓ２）、第１かい承認処理（図２／Ｓ３）及び第１うり承認処理（図２／Ｓ４）を繰り返す。
【００５１】
ｎ次加工品に不良品が含まれ、ｎ＋１次作業員がｎ次作業員に対してその不良品を戻す場合、まず、第３うり処理ユニット１３１が「第３うり処理」を実行する（図２／Ｓ５）。具体的には、ｎ＋１次作業員によって、第ｎ＋１端末ｘｎ＋１の「うり一覧表」に「不良品の内容」「数量」「ｎ＋１次単価」及び不良品の返還先であるｎ次作業員を識別するための「ｎ次識別子」が入力される（図２／Ｓ２３）。これに応じて不良品を発見したｎ＋１次作業員を識別するための「ｎ＋１次識別子」と、ｎ＋１次作業員によって第ｎ＋１端末ｘｎ＋１の「うり一覧表」に掲載された「不良品の内容」「数量」「ｎ＋１次単価」及び「ｎ次識別子」とが第ｎ＋１端末ｘｎ＋１からサーバ１００に送信され（図２／矢印Ａ５）、第３うり処理ユニット１３１がこれら情報を認識する。
【００５２】
また、第３かい処理ユニット１３２が「第３かい処理」を実行する（図２／Ｓ６）。具体的には、第３かい処理ユニット１３２が、第３うり処理ユニット１３１により認識されたｎ次識別子により識別されるｎ次作業員の第ｎ端末ｘｎとの通信により（図２／矢印Ａ６）、第３うり処理ユニット１３１により認識された「ｎ＋１次識別子」「不良品の内容」「数量」及び「ｎ＋１次単価」を第ｎ端末ｘｎの「かい一覧表」に掲載させる（図２／Ｓ１３）。
【００５３】
なお、ｎ次作業員からｍ次作業員に対してｎ次作業とは異なる無体物が提供される場合、第２うり処理ユニット１２１が、第ｎ端末ｘｎ及び第ｍ端末ｘｍとの通信により、第１うり処理ユニット１１１による「第１うり処理（図２／Ｓ１）」及び「第１うり承認処理（図２／Ｓ４）」と同様の「第２うり処理」及び「第２うり承認処理」を実行する。また、この場合、第２かい処理ユニット１２２が、第ｎ端末ｘｎ及び第ｍ端末ｘｍとの通信により、第１かい処理ユニット１１２による「第１かい処理（図２／Ｓ２）」及び「第１かい承認処理（図２／Ｓ３）」と同様の「第２かい処理」及び「第２かい承認処理」を実行する。
【００５４】
また、第ｎ端末ｘｎの「かい一覧表」において数量や単価等が、第１かい処理、第２かい処理及び第３かい処理のうちいずれに関するものであるかが区分可能とされていてもよい。同様に、第ｎ端末ｘｎの「うり一覧表」において数量や単価等が、第１うり処理、第２うり処理及び第３うり処理のうちいずれに関するものであるかが区分可能とされていてもよい。
【００５５】
前記機能を発揮する本発明の付加価値管理システムによれば、第ｎ＋１端末ｘｎ＋１の「うり一覧表」を通じてｎ＋１次有体物の内容、数量及びｎ次単価をｎ＋１次作業員に認識させうる（図２／Ｓ１１参照）。また、第ｎ＋１端末ｘｎ＋１の「かい一覧表」を通じてｎ次有体物の内容、数量及びｎ次単価をｎ＋１次作業員に認識させうる（図２／Ｓ２１参照）。すなわち「かい一覧表」を通じてｎ次作業員からｎ次有体物をいくらで「かい」、「うり一覧表」を通じてｎ＋２次作業員に対してｎ＋１次有体物（ｎ＝Ｎの場合は当該製品の発注業者等）をいくらで「うった」かを、ｎ＋１次作業員に明確に認識させることができる。これにより、各作業員に対してその作業によって生み出された付加価値がどれほどであるかを明確に認識することができる。また、作業員が自ら生み出した付加価値の高低に応じた報酬を得られるようにすることで、各作業員に高い付加価値を生み出す意欲を引き出し、付加価値の高い製品の生産性向上を図ることができる。
【００５６】
これは無体物の場合でも同様である。すなわち「うり一覧表」及び「かい一覧表」を通じて、「うり高」を増やそうとする一方で「かい高（仕入高）」を最小限に抑制して無駄を省くという努力によって生み出された付加価値及びその重要性を各作業員に明確に認識させることができる。これにより、ｎ次作業のほかに付加価値を生み出すような無体物（アイデア等）の創出をｎ次作業員に促し、製品の生産性の向上を図ることができる。また、無体物のおかげでｍ次作業の効率が向上し、ｍ次有体物の数量が増大したような場合、前述のように第ｍ端末の「うり一覧表」を通じてｍ次作業員に当該上昇したｍ次単価を認識させ、そのやる気を奮い立たせ、製品の生産性の向上を図ることができる。
【００５７】
また、ｎ＋１次作業員は、ｎ次有体物の内容、数量やｎ次単価が不適当である等の事由に応じて、第ｎ＋１端末ｘｎ＋１を通じてｎ次有体物の「かい」を承認するか否かの意思表示が可能である（図２／Ｓ２２参照）。これにより、ｎ＋１次作業員がｎ次作業員から不当なｎ次単価のｎ次有体物をかわざるを得ないような事態が回避される。また、ｎ＋１次作業員へのｎ次有体物の「うり」がｎ＋１次作業員により承認されたことをｎ次作業員に認識させることで、ｎ次有体物の搬出等、必要な処置を促すことができる。一方、ｎ＋１次作業員へのｎ次有体物の「うり」がｎ＋１次作業員により承認されていないことをｎ次作業員に認識させることで、ｎ次単価等の再検討を促すことができる。これにより、ｎ次作業員により第ｎ端末に任意に入力されるｎ次単価等が不当なものとなる事態が抑制され、もって一連の作業の円滑化、ひいては生産効率の向上を図ることができる。
【００５８】
これは、ｎ次有体物が無体物である場合も同様である。
【００５９】
さらに、ｎ＋１次作業員がｎ次有体物に含まれる不良品をｎ次作業員に「うる」場合、当該不良品の数量とともにｎ＋１次単価を第ｎ＋１端末ｘｎ＋１の「うり一覧表」に掲載することができる。従って、ｎ次有体物に不良品があったにもかかわらず、第ｎ＋１端末ｘｎ＋１の「うり一覧表」に掲載されているｎ＋１次単価及び数量の積が実質的に目減りしていないことをｎ＋１次作業員に認識させうる。これにより、不良品発生の責任所在を明確にし、各作業員のやる気を向上させうる。
【００６０】
また、ｎ次作業員が不良品をｎ＋１次作業員から「かう」場合、第ｎ端末ｘｎの「うり一覧表」及び「かい一覧表」を通じて、ｎ次有体物の「うり」がｎ次単価であったにもかかわらず、不良品の「かい」がｎ＋１次単価であった分、その収支がマイナスになってしまうことをｎ次作業員に認識させうる。これにより、不良品発生の責任の重みを各作業員に認識させ、不良品の数量低減のための努力を促す等、生産性の向上が図られうる。
【図面の簡単な説明】
【００６１】
【図１】本発明の一実施形態における付加価値管理システムの構成説明図
【図２】本発明の一実施形態における付加価値管理システムの機能説明図
【図３】うり一覧表及びかい一覧表の説明図
【図４】逐次作業に伴って付加価値が累積される様子の説明図
【符号の説明】
【００６２】
１００‥サーバ（付加価値管理システム）、１１１‥第１うり処理ユニット、１１２‥第１かい処理ユニット、１１３‥第１かい承認処理ユニット、１１４‥第１うり承認処理ユニット、１２１‥第２うり処理ユニット、１２２‥第２かい処理ユニット、１２３‥第２かい承認処理ユニット、１２４‥第２うり承認処理ユニット、１３１‥第３うり処理ユニット、１３２‥第３かい処理ユニット、ｘｎ‥第ｎ端末
【図１】
2006012068.tif 000003
【図２】
2006012068.tif 000004
【図３】
2006012068.tif 000005
【図４】
2006012068.tif 000006
【手続補正書】
【提出日】平成17年7月11日(2005.7.11)
【手続補正１】
【補正対象書類名】特許請求の範囲
【補正対象項目名】全文
【補正方法】変更
【補正の内容】
【特許請求の範囲】
【請求項１】
複数の端末との通信を利用して、製品の生産過程に含まれる複数の作業によって生じる付加価値が管理するシステムであって、
ｎ次作業（ｎ＝１，２，・・）を担当するｎ次作業員によるうり一覧表への情報掲載と、うり一覧表及びかい一覧表の掲載情報の閲覧とが可能な第ｎ端末との通信により、ｎ次有体物の提供元であるｎ次作業員を識別するためのｎ次識別子と、ｎ次作業員によって第ｎ端末のうり一覧表に掲載されたｎ次有体物の内容、数量、ｎ−１次単価にｎ次付加価値を加えたｎ次有体物のｎ次単価、及びｎ次有体物の提供先であるｎ＋１次作業員を識別するためのｎ＋１次識別子とを認識する第１うり処理手段と、
第１うり処理手段により認識されたｎ＋１次識別子により識別されるｎ＋１次作業員の第ｎ＋１端末との通信により、第１うり処理手段により認識されたｎ次識別子、ｎ次有体物の内容、数量及びｎ次単価を、第ｎ＋１端末のかい一覧表に掲載させる第１かい処理手段と、
第ｎ端末との通信により、ｎ次作業とは異なる無体物の提供元であるｎ次作業員を識別するためのｎ次識別子と、ｎ次作業員によって第ｎ端末のうり一覧表に掲載された無体物の内容、数量、単価、及び無体物の提供先であるｍ次作業員（ｍ＝１，２，・・）のｍ次識別子とを認識する第２うり処理手段と、
第２うり処理手段により認識されたｍ次識別子により識別されるｍ次作業員の第ｍ端末との通信により、第２うり処理手段により認識されたｎ次識別子、無体物の内容、数量及び単価を第ｍ端末のかい一覧表に掲載させる第２かい処理手段とを備えていることを特徴とする付加価値管理システム。
【請求項２】
第ｎ＋１端末との通信により、ｎ＋１作業員により第ｎ＋１端末のかい一覧表に掲載されたｎ次有体物のかい承認及び非承認の別を認識する第１かい承認処理手段と、
第ｎ端末との通信により、ｎ＋１次作業員によるｎ次有体物のかい承認及び非承認の別を第ｎ端末のうり一覧表に掲載させる第１うり承認処理手段とを供えていることを特徴とする請求項１記載の付加価値管理システム。
【請求項３】
第ｍ端末との通信により、ｍ次作業員により第ｍ端末のかい一覧表に掲載された無体物のかい承認及び非承認の別を認識する第２かい承認処理手段と、
第ｎ端末との通信により、ｍ次作業員による無体物のかい承認及び非承認の別を第ｎ端末のうり一覧表に掲載させる第２うり承認処理手段とを備えていることを特徴とする請求項１記載の付加価値管理システム。
【請求項４】
第ｎ＋１端末との通信により、ｎ次有体物に含まれる不良品を発見したｎ＋１次作業員を識別するためのｎ＋１次識別子と、ｎ＋１次作業員によって第ｎ＋１端末のうり一覧表に掲載された不良品の内容、数量、ｎ＋１次単価、及び不良品の返却先であるｎ次作業員を識別するためのｎ次識別子とを認識する第３うり処理手段と、
第３うり処理手段により認識されたｎ次識別子により識別されるｎ次作業員の第ｎ端末との通信により、第３うり処理手段により認識されたｎ＋１次識別子、不良品の内容、数量及びｎ＋１次単価を第ｎ端末のかい一覧表に掲載させる第３かい処理手段とを備えていることを特徴とする請求項１、２又は３記載の付加価値管理システム。
【手続補正２】
【補正対象書類名】明細書
【補正対象項目名】０００７
【補正方法】変更
【補正の内容】
【０００７】
前記課題を解決するための本発明の付加価値管理システムは、ｎ次作業（ｎ＝１，２，・・）を担当するｎ次作業員によるうり一覧表への情報掲載と、うり一覧表及びかい一覧表の掲載情報の閲覧とが可能な第ｎ端末との通信により、ｎ次有体物の提供元であるｎ次作業員を識別するためのｎ次識別子と、ｎ次作業員によって第ｎ端末のうり一覧表に掲載されたｎ次有体物の内容、数量、ｎ−１次単価にｎ次付加価値を加えたｎ次有体物のｎ次単価、及びｎ次有体物の提供先であるｎ＋１次作業員を識別するためのｎ＋１次識別子とを認識する第１うり処理手段と、第１うり処理手段により認識されたｎ＋１次識別子により識別されるｎ＋１次作業員の第ｎ＋１端末との通信により、第１うり処理手段により認識されたｎ次識別子、ｎ次有体物の内容、数量及びｎ次単価を、第ｎ＋１端末のかい一覧表に掲載させる第１かい処理手段と、第ｎ端末との通信により、ｎ次作業とは異なる無体物の提供元であるｎ次作業員を識別するためのｎ次識別子と、ｎ次作業員によって第ｎ端末のうり一覧表に掲載された無体物の内容、数量、単価、及び無体物の提供先であるｍ次作業員（ｍ＝１，２，・・）のｍ次識別子とを認識する第２うり処理手段と、第２うり処理手段により認識されたｍ次識別子により識別されるｍ次作業員の第ｍ端末との通信により、第２うり処理手段により認識されたｎ次識別子、無体物の内容、数量及び単価を第ｍ端末のかい一覧表に掲載させる第２かい処理手段とを備えていることを特徴とする。
【手続補正３】
【補正対象書類名】明細書
【補正対象項目名】００１４
【補正方法】変更
【補正の内容】
【００１４】
従って、本発明の付加価値管理システムによれば、第ｎ端末の「うり一覧表」を通じてｎ次有体物の内容、数量及びｎ次単価をｎ次作業員に認識させうる。また、第ｎ端末の「かい一覧表」を通じてｎ−１次有体物の内容、数量及びｎ−１次単価をｎ次作業員に認識させうる。すなわち、「かい一覧表」を通じてｎ−１次作業員（ｎ＝１の場合は外部の材料販売業者等）からｎ−１次有体物をいくらで「かい」、「うり一覧表」を通じてｎ＋１次作業員に対してｎ次有体物（ｎ＝Ｎの場合は当該製品の発注業者等）をいくらで「うった」かを、ｎ次作業員に明確に認識させることができる。これにより、各作業員に対してその作業によって生み出された付加価値がどれほどであるかを明確に認識することができる。また、作業員が自ら生み出した付加価値の高低に応じた報酬を得られるようにすることで、各作業員に高い付加価値を生み出す意欲を引き出し、付加価値の高い製品の生産性向上を図ることができる。さらに、本発明の付加価値管理システムによれば、ｎ次作業員によってｎ次作業とは異なる「無体物」がｍ次作業員に対して提供される場合、第２うり処理手段及び第２かい処理手段が、前記第１うり処理手段及び第１かい処理手段と同様の処理を実行する。従って、ｍ次作業員への無体物の提供によって生み出される付加価値を、第ｎ端末の「うり一覧表」を通じてそのｎ次作業員に把握させる一方、第ｍ端末の「かい一覧表」を通じて無体物の付加価値をｍ次作業員に把握させることができる。すなわち、第ｎ端末の「うり一覧表」を通じて、ｍ次作業員に無体物をいくらで「うった」かをｎ次作業員に明確に認識させることができる。また、第ｍ端末の「かい一覧表」を通じて、ｎ次作業員から無体物をいくらで「かった」かをｍ次作業員に明確に認識させることができる。これにより、ｎ次作業のほかに付加価値を生み出すような無体物（アイデア等）の創出をｎ次作業員に促し、製品の生産性の向上を図ることができる。また、無体物のおかげでｍ次作業の効率が向上し、ｍ次有体物の数量が増大したような場合、前述のように第ｍ端末の「うり一覧表」を通じてｍ次作業員に当該上昇したｍ次単価を認識させ、そのやる気を奮い立たせ、製品の生産性の向上を図ることができる。
【手続補正４】
【補正対象書類名】明細書
【補正対象項目名】００１８
【補正方法】削除
【補正の内容】
【手続補正５】
【補正対象書類名】明細書
【補正対象項目名】００１９
【補正方法】削除
【補正の内容】
【手続補正６】
【補正対象書類名】明細書
【補正対象項目名】００２０
【補正方法】削除
【補正の内容】
【手続補正７】
【補正対象書類名】明細書
【補正対象項目名】００２１
【補正方法】削除
【補正の内容】
【手続補正書】
【提出日】平成17年9月9日(2005.9.9)
【手続補正１】
【補正対象書類名】特許請求の範囲
【補正対象項目名】全文
【補正方法】変更
【補正の内容】
【特許請求の範囲】
【請求項１】
複数の端末との通信を利用して、製品の生産過程に含まれる複数の作業によって生じる付加価値が管理するシステムであって、
コンピュータと、コンピュータに一定の情報処理機能を付与するソフトウェアとにより構成されている手段として、
ｎ次作業（ｎ＝１，２，・・）を担当するｎ次作業員によるうり一覧表への情報掲載と、うり一覧表及びかい一覧表の掲載情報の閲覧とが可能な第ｎ端末との通信により、ｎ次有体物の提供元であるｎ次作業員を識別するためのｎ次識別子と、ｎ次作業員によって第ｎ端末のうり一覧表に掲載されたｎ次有体物の内容、数量、ｎ−１次単価にｎ次付加価値を加えたｎ次有体物のｎ次単価、及びｎ次有体物の提供先であるｎ＋１次作業員を識別するためのｎ＋１次識別子とを認識する第１うり処理手段と、
第１うり処理手段により認識されたｎ＋１次識別子により識別されるｎ＋１次作業員の第ｎ＋１端末との通信により、第１うり処理手段により認識されたｎ次識別子、ｎ次有体物の内容、数量及びｎ次単価を、第ｎ＋１端末のかい一覧表に掲載させる第１かい処理手段と、
第ｎ端末との通信により、ｎ次作業とは異なる無体物の提供元であるｎ次作業員を識別するためのｎ次識別子と、ｎ次作業員によって第ｎ端末のうり一覧表に掲載された無体物の内容、数量、単価、及び無体物の提供先であるｍ次作業員（ｍ＝１，２，・・）のｍ次識別子とを認識する第２うり処理手段と、
第２うり処理手段により認識されたｍ次識別子により識別されるｍ次作業員の第ｍ端末との通信により、第２うり処理手段により認識されたｎ次識別子、無体物の内容、数量及び単価を第ｍ端末のかい一覧表に掲載させる第２かい処理手段とを備えていることを特徴とする付加価値管理システム。
【請求項２】
コンピュータと、コンピュータに一定の情報処理機能を付与するソフトウェアとにより構成されている手段として、
第ｎ＋１端末との通信により、ｎ＋１作業員により第ｎ＋１端末のかい一覧表に掲載されたｎ次有体物のかい承認及び非承認の別を認識する第１かい承認処理手段と、
第ｎ端末との通信により、ｎ＋１次作業員によるｎ次有体物のかい承認及び非承認の別を第ｎ端末のうり一覧表に掲載させる第１うり承認処理手段とをさらに備えていることを特徴とする請求項１記載の付加価値管理システム。
【請求項３】
コンピュータと、コンピュータに一定の情報処理機能を付与するソフトウェアとにより構成されている手段として、
第ｍ端末との通信により、ｍ次作業員により第ｍ端末のかい一覧表に掲載された無体物のかい承認及び非承認の別を認識する第２かい承認処理手段と、
第ｎ端末との通信により、ｍ次作業員による無体物のかい承認及び非承認の別を第ｎ端末のうり一覧表に掲載させる第２うり承認処理手段とをさらに備えていることを特徴とする請求項１記載の付加価値管理システム。
【請求項４】
コンピュータと、コンピュータに一定の情報処理機能を付与するソフトウェアとにより構成されている手段として、
第ｎ＋１端末との通信により、ｎ次有体物に含まれる不良品を発見したｎ＋１次作業員を識別するためのｎ＋１次識別子と、ｎ＋１次作業員によって第ｎ＋１端末のうり一覧表に掲載された不良品の内容、数量、ｎ＋１次単価、及び不良品の返却先であるｎ次作業員を識別するためのｎ次識別子とを認識する第３うり処理手段と、
第３うり処理手段により認識されたｎ次識別子により識別されるｎ次作業員の第ｎ端末との通信により、第３うり処理手段により認識されたｎ＋１次識別子、不良品の内容、数量及びｎ＋１次単価を第ｎ端末のかい一覧表に掲載させる第３かい処理手段とをさらに備えていることを特徴とする請求項１、２又は３記載の付加価値管理システム。
【手続補正２】
【補正対象書類名】明細書
【補正対象項目名】０００７
【補正方法】変更
【補正の内容】
【０００７】
前記課題を解決するための本発明の付加価値管理システムは、コンピュータと、コンピュータに一定の情報処理機能を付与するソフトウェアとにより構成されている手段として、ｎ次作業（ｎ＝１，２，・・）を担当するｎ次作業員によるうり一覧表への情報掲載と、うり一覧表及びかい一覧表の掲載情報の閲覧とが可能な第ｎ端末との通信により、ｎ次有体物の提供元であるｎ次作業員を識別するためのｎ次識別子と、ｎ次作業員によって第ｎ端末のうり一覧表に掲載されたｎ次有体物の内容、数量、ｎ−１次単価にｎ次付加価値を加えたｎ次有体物のｎ次単価、及びｎ次有体物の提供先であるｎ＋１次作業員を識別するためのｎ＋１次識別子とを認識する第１うり処理手段と、第１うり処理手段により認識されたｎ＋１次識別子により識別されるｎ＋１次作業員の第ｎ＋１端末との通信により、第１うり処理手段により認識されたｎ次識別子、ｎ次有体物の内容、数量及びｎ次単価を、第ｎ＋１端末のかい一覧表に掲載させる第１かい処理手段と、第ｎ端末との通信により、ｎ次作業とは異なる無体物の提供元であるｎ次作業員を識別するためのｎ次識別子と、ｎ次作業員によって第ｎ端末のうり一覧表に掲載された無体物の内容、数量、単価、及び無体物の提供先であるｍ次作業員（ｍ＝１，２，・・）のｍ次識別子とを認識する第２うり処理手段と、第２うり処理手段により認識されたｍ次識別子により識別されるｍ次作業員の第ｍ端末との通信により、第２うり処理手段により認識されたｎ次識別子、無体物の内容、数量及び単価を第ｍ端末のかい一覧表に掲載させる第２かい処理手段とを備えていることを特徴とする。
【手続補正３】
【補正対象書類名】明細書
【補正対象項目名】００１５
【補正方法】変更
【補正の内容】
【００１５】
また、本発明の付加価値管理システムは、コンピュータと、コンピュータに一定の情報処理機能を付与するソフトウェアとにより構成されている手段として、第ｎ＋１端末との通信により、ｎ＋１作業員により第ｎ＋１端末のかい一覧表に掲載されたｎ次有体物のかい承認及び非承認の別を認識する第１かい承認処理手段と、第ｎ端末との通信により、ｎ＋１次作業員によるｎ次有体物のかい承認及び非承認の別を第ｎ端末のうり一覧表に掲載させる第１うり承認処理手段とをさらに備えていることを特徴とする。
【手続補正４】
【補正対象書類名】明細書
【補正対象項目名】００２２
【補正方法】変更
【補正の内容】
【００２２】
また、本発明の付加価値管理システムは、コンピュータと、コンピュータに一定の情報処理機能を付与するソフトウェアとにより構成されている手段として、第ｍ端末との通信により、ｍ次作業員により第ｍ端末のかい一覧表に掲載された無体物のかい承認及び非承認の別を認識する第２かい承認処理手段と、第ｎ端末との通信により、ｍ次作業員による無体物のかい承認及び非承認の別を第ｎ端末のうり一覧表に掲載させる第２うり承認処理手段とをさらに備えていることを特徴とする。
【手続補正５】
【補正対象書類名】明細書
【補正対象項目名】００２４
【補正方法】変更
【補正の内容】
【００２４】
さらに、本発明の付加価値管理システムは、コンピュータと、コンピュータに一定の情報処理機能を付与するソフトウェアとにより構成されている手段として、第ｎ＋１端末との通信により、ｎ次有体物に含まれる不良品を発見したｎ＋１次作業員を識別するためのｎ＋１次識別子と、ｎ＋１次作業員によって第ｎ＋１端末のうり一覧表に掲載された不良品の内容、数量、ｎ＋１次単価、及び不良品の返却先であるｎ次作業員を識別するためのｎ次識別子とを認識する第３うり処理手段と、第３うり処理手段により認識されたｎ次識別子により識別されるｎ次作業員の第ｎ端末との通信により、第３うり処理手段により認識されたｎ＋１次識別子、不良品の内容、数量及びｎ＋１次単価を第ｎ端末のかい一覧表に掲載させる第３かい処理手段とをさらに備えていることを特徴とする。